(57)【要約】【課題】家庭において、力をほとんど使うことなく使用済みペットボトルを簡単に減量化できるペットボトル圧縮機の提供を目的とする。【解決手段】受け皿１の設置部５に使用済みペットボトルを設置し、受け皿１の筒安定溝２に収納筒３の下端部４を挿入する。筒安定溝２に略円柱形状スチームアイロン７を挿入しスチームを噴射することによって使用済みペットボトルを軟化できる。さらに使用済みペットボトル内部と外部の温度差により生じる外圧による効果も合わせ、使用済みペットボトルを縦方向に潰す際、ほとんど力を必要としない。【選択図】図１
0003168258.tif 000002
【実用新案登録請求の範囲】
【請求項１】
ペットボトルの飲み口とボトル開口面を安定設置させる受け皿と、
ペットボトル全体を逆さに収納する円筒形状の収納筒と、
前記収納筒の内部側面に外部側面が接触した状態で挿入される略円柱形状スチームアイロンと、を備え、
前記受け皿は、前記収納筒の下端部を安定設置させる筒安定溝と、転倒防止のための支持部を備え、
前記略円柱形状スチームアイロンは、水タンクと、前記水タンクに貯えた水を気化室に供給するポンプ手段と、前記気化室で発生したスチームを掛け面から外部へ噴射するスチーム噴射口を有する熱板と、を備えることを特徴とするペットボトル圧縮機。
【請求項２】
前記水タンクは、ヒータを備えることを特徴とする請求項１に記載のペットボトル圧縮機。
【請求項３】
前記収納筒は、側面に受溝を備え、
前記略円柱形状スチームアイロンは、前記受溝と係合する突起を有する係合部を備えることを特徴とする請求項１または２に記載のペットボトル圧縮機。
【請求項４】
前記略円柱形状スチームアイロンの下方の外周上に耐熱弾性体のパッキンを備えることを特徴とする請求項１から３の何れか１項に記載のペットボトル圧縮機。
【請求項５】
前記略円柱形状スチームアイロンは、スチーム噴射ボタンを備えることを特徴とする請求項１から４の何れか１項に記載のペットボトル圧縮機。
【請求項６】
前記略円柱形状スチームアイロンは、スチームＯＮ／ＯＦＦ切替スイッチを備えることを特徴とする請求項１から５の何れか１項に記載のペットボトル圧縮機。
【請求項７】
前記略円柱形状スチームアイロンは、前記熱板の温度を調整する温度調整ダイヤルを備えることを特徴とする請求項１から６の何れか１項に記載のペットボトル圧縮機。
【考案の詳細な説明】
【技術分野】
【０００１】
本考案は、使用済みペットボトルの減量化処理を、家庭で容易に行うためのペットボトル圧縮機に関する。
【背景技術】
【０００２】
従来から、使用済みペットボトルは、そのままの状態で回収され、処理工場において大規模な細分化粉砕機械により減量されることが一般的である。近年では、一般家庭での減量化も行われるようになってきたが、側面を押し潰すものばかりで、あまり効果が得られていない。そこで、より減量化を図るため、ペットボトルを縦方向に圧縮する試みも行われて来たが、強力な押圧力が必要なため一般家庭用への実現は困難とされていた。かかる問題点の解決を図った例として、特許文献１がある。
【０００３】
特許文献１に開示されたペットボトル圧縮機は、縦方向に設置したペットボトルの上下を刺針で固定し、上方の固定具を回転させることでペットボトル全体に捻りを加え、縦方向の圧縮時に必要とされる押圧力の軽減を図ったものである。
【先行技術文献】
【特許文献】
【０００４】
【特許文献１】特開２００２−２６３８９３号公報
【考案の概要】
【考案が解決しようとする課題】
【０００５】
しかしながら、手の力のみによる押圧には捻り力の作用によっても限界があり、縦方向への圧縮といえども十分な効果は得られていない。また、圧縮する際にはペットボトルが割れてしまうことも多く、その割れ口の形状は刃物のような鋭角形状となるため非常に危険である。
【０００６】
本考案は、上記問題点に鑑みてなされたもので、使用済みペットボトルを縦方向に潰す際に押圧力をほとんど必要しないペットボトル圧縮機の提供を目的とする。
【課題を解決するための手段】
【０００７】
かかる目的を達成するために、本考案にかかるペットボトル圧縮機は、ペットボトルの飲み口とボトル開口面を安定設置させる受け皿と、ペットボトル全体を逆さに収納する円筒形状の収納筒と、収納筒の内部側面に外部側面が接触した状態で挿入される略円柱形状スチームアイロンと、を備え、受け皿は、収納筒の下端部を安定設置させる筒安定溝と、転倒防止のための支持部を備え、略円柱形状スチームアイロンは、水タンクと、水タンクに貯えた水を気化室に供給するポンプ手段と、気化室で発生したスチームを掛け面から外部へ噴射するスチーム噴射口を有する熱板と、を備えることを特徴とする。
【考案の効果】
【０００８】
本考案によれば、使用済みペットボトルを縦方向に潰す際に押圧力をほとんど必要しないペットボトル圧縮機の提供が可能となる。
【図面の簡単な説明】
【０００９】
【図１】本考案の実施形態に係る受け皿、収納筒および略円柱形状スチームアイロンの概略図である。
【図２】本考案の実施形態に係る略円柱形状スチームアイロンの熱板と使用済みペットボトル底部の当接時の概略図である。
【図３】本考案の実施形態に係る略円柱形状スチームアイロンの突起と収納筒の受溝の係合時の概略図である。
【図４】本考案の実施形態に係る受け皿に圧縮された使用済みペットボトルが残った状態の概略図である。
【図５】本考案の実施形態に係る係合部の概略図である。
【図６】本考案の実施形態に係る略円柱形状スチームアイロンのアイロン部の断面図である。
【考案を実施するための形態】
【００１０】
本実施形態では、密閉された空間に置いたペットボトル周辺をスチームによる蒸気熱で取り巻くことによりペットボトル全体を柔らかくできる。このとき、ペットボトルの内部と外部にはスチームによる蒸気熱で温度差が生じるため、ペットボトルは外圧により圧縮される。かかる軟化と外圧の効果により、使用済みペットボトルをわずかな力で縦方向に潰すことができる。
【００１１】
なお、ヒータによって加熱されたアイロンの熱板をペットボトルの底部に押し当てることのみでペットボトルを縦方向に潰すには、通常と変わらない押圧力が必要なため、本実施形態においてスチームの噴射機構は重要な構成要件の１つである。
【００１２】
以下、本実施形態にかかるペットボトル圧縮機について図面を参照して説明する。
【００１３】
図1（ａ）に示した受け皿１は、筒安定溝２を備え、図１（ｂ）に示した収納筒３の下端部４を挿入できる。筒安定溝２は、挿入された収納筒３が倒れない程度の必要十分な深さを備えている。
【００１４】
受け皿１の上方に位置する設置部５は、一般的なペットボトルのボトル開口面に沿った傾斜面を備えている。また、設置部５はその中央部にペットボトルの飲み口部分が挿入できるだけの内径と深さをもつ飲み口溝６を備えている。かかる構成により、逆さにした使用済みペットボトルを安定設置することができる。支持部１０は、収納筒３を筒安定溝２に挿入した際等に転倒を防止するためのものである。
【００１５】
以下、本実施形態にかかるペットボトル圧縮機を用いた使用済みペットボトルの圧縮行程を説明する。
【００１６】
逆さにした使用済みペットボトルを設置部５に設置した後、収納筒３の下端部４を筒安定溝２に挿入し、図1（ｃ）に示した略円柱形状スチームアイロン７を収納筒３に挿入する。略円柱形状スチームアイロン７の外径は、収納筒３の内径よりも少し小さくなっているためスムーズに挿入することができる。もっとも、収納筒３の下端部４を筒安定溝２に挿入した後、逆さにした使用済みペットボトルを設置部５に設置してもよい。
【００１７】
略円柱形状スチームアイロン７の下端部は、その外周上に耐熱用ゴムパッキン８を備えているため、略円柱形状スチームアイロン７から噴射された蒸気熱が収納筒３と略円柱形状スチームアイロン７の隙間から逃げないような構成になっている。
【００１８】
同様に、収納筒３の下端部内面の内周上にも耐熱用ゴムパッキン９を備えているため、略円柱形状スチームアイロン７から噴射された蒸気熱が受け皿１と収納筒３の隙間から逃げないような構成になっている。
【００１９】
水タンク１６には、ヒータ３５により温められ高温状態となった水が蓄えられている。本機の使用時にハンドル２０に隣接するスチーム噴射ボタン１９を押せば、高温状態となった水が後述するポンプ手段により気化室１７に供給され、その時に発生する高温のスチームがスチーム噴射口２１から噴射される。
【００２０】
電圧調整ダイヤル１８は、図示しないヒータの電圧調整により熱板２２の温度調整を行うものである。電圧調整ダイヤル１８によれば、ペットボトルの強度に応じて熱板２２の温度を適宜最適な温度に設定できる。
【００２１】
スチームＯＮ／ＯＦＦ切替スイッチ４４は、電源投入後において、常時スチームを噴射するのか（ＯＮの状態）、スチーム噴射ボタン１９を押した時にだけスチームを噴射するのか（ＯＦＦの状態）を切り替えるためのスイッチである。
【００２２】
スチーム噴射ボタン１９は、そのプッシュボタンの押圧加減によってスチームの噴射量を調整できる。このため、スチームＯＮ／ＯＦＦ切替スイッチ４４をＯＮの状態にし、常時スチームを噴射しながらスチーム噴射ボタン１９の操作により適宜噴射量を増やすことも可能である。ユーザは、ペットボトルの厚みや強度に合わせて柔軟な操作を行うことができる。
【００２３】
また、ＯＦＦの状態においては、必要な時にだけスチーム噴射ボタン１９を押して適量のスチームを噴射することができる。水タンク１６内の水温上昇を待って使用をする場合にも有効である。電源投入後すぐにスチームが噴射されてしまうと危険な場合も想定されるため、使用後はＯＦＦの状態にしておくことが好ましい。
【００２４】
なお、スチームＯＮ／ＯＦＦ切替スイッチ４４、スチーム噴射ボタン１９は、図示しないコードによって後述する操作手段３９と繋がっている。
【００２５】
図２は、収納筒３に挿入した略円柱形状スチームアイロン７が使用済みペットボトル２３の底部に当接した状態を示したものである。
【００２６】
かかる状態で使用済みペットボトル２３に向けてスチームを噴射すれば、収納筒３と使用済みペットボトル２３の間に存在する空間２４は耐熱用ゴムパッキン８、９により密閉されているため、蒸気熱の充満により温度が上昇し、使用済みペットボトル２３は非常に柔らかい状態となる。
【００２７】
また、スチームの噴射により、瞬間的に空間２４と使用済みペットボトル２３の内部に温度差が生じ、使用済みペットボトル２３は外圧によって圧縮される。
【００２８】
これらスチームの蒸気熱とゴムパッキン８、９により生じる密閉空間の効果により、使用済みペットボトル２３は柔らかくなった状態で外圧を受けるため、上からのわずかな押圧力で使用済みペットボトル２３を縦方向に潰すことができる。
【００２９】
略円柱形状スチームアイロン７の重さは通常のアイロンと同程度であるが、本実施形態によれば、略円柱形状スチームアイロン７の重さ程度で使用済みペットボトル２３を縦方向に潰すことができる。ユーザは押圧力をほとんど必要としない。
【００３０】
使用済みペットボトル２３の圧縮後、略円柱形状スチームアイロン７を収納筒３から抜き出す際には、突起１１、１２がそれぞれ受溝１３、１４にはまるようにする。後述する収納筒３から略円柱形状スチームアイロン７を取り外す方法と同様の操作により、ユーザは容易にかかる位置調整をすることができる。
【００３１】
なお、収納筒３の内面に図示しないレール溝を設けること等により、略円柱形状スチームアイロン７を収納筒３から抜き出す際、突起１１、１２がそれぞれ確実に受溝１３、１４にはまるような構造にしてもよい。
【００３２】
略円柱形状スチームアイロン７を収納筒３から抜き出す途中、突起１１、１２により収納筒３は係止され、略円柱形状スチームアイロン７を持ち上げることによって収納筒３を受け皿１から取り外すことができる。突起１１、１２の詳細は、図５の説明で述べる。
【００３３】
図４は、使用済みペットボトルの圧縮後、受け皿１から収納筒３が取り外された状態を示したものである。
【００３４】
収納筒３を受け皿１から取り外すまでは空間２４は密閉状態を維持しているため、スチーム等により上昇した温度はそれほど低下していない。この状態で圧縮されたペットボトルを取り出すには火傷の危険性がつきまとう。
【００３５】
そこで本実施形態では、使用済みペットボトルの圧縮後に収納筒３を受け皿１から取り外す構成にした。かかる構成によれば、圧縮されたペットボトルは一旦外気にさらされるため（図４の状態）、収納筒３が受け皿１に設置されたままの状態に比べて早期に温度が降下する。そのため、火傷の危険性を低下させ、圧縮されたペットボトルを安全かつ迅速に取り出すことができる。
【００３６】
本実施形態では、噴射された蒸気熱を逃がさないための構成として耐熱用ゴムパッキンを使用したが、これは耐熱用ゴムパッキンに限定するものではない。また、図においては一本の耐熱用ゴムパッキンによる構成を示しているが、これをもって本数を限定するものでもない。例えば、自動車のエンジンに用いられるピストンリング（ピストンとシリンダの隙間を燃料ガスが逃げてしまわないようにするためのもの）とすることもできる。筒安定溝２の底部や収納筒３の底部に耐熱用ゴムパッキンを備えることにより同様の効果を得ることもできる。本考案はかかる効果が得られる構成を広義に包含するものである。
【００３７】
なお、飲み口溝６と設置部の斜面により、あらゆるタイプやサイズのペットボトルに対応可能である。
【００３８】
図５は、係合部２５の詳細を示したものである。図５（ａ）はアーム２６の斜視図である。図５（ｂ）は通常時またはアーム２７と受溝の係合時の状態を示したものであり、図５（ｃ）は使用済みペットボトル圧縮時等の状態を示したものである。係合部の構成は左右で同一であるため、ここでは一方についてのみ説明する。
【００３９】
アーム２６は、取っ手３０に固定された軸固定部材３１に設けられた軸２７を回転軸として回動自在となっている。バネ２８は一端を取っ手３０の内部に固定され、他端をアーム背面３４の下方に固定されている。バネ２９は一端を軸固定部材３１に固定され、他端をアーム背面３４の上方に固定されている。
【００４０】
図５（ａ）において、バネ２８、２９は自然長よりも縮んだ状態である。通常、突起１２は、バネ２８、２９の弾性力により取っ手３０の外部に突出している。
【００４１】
略円柱形状スチームアイロン７が収納筒３に挿入され、突起１１、１２が収納筒３の内側面に接触すると、バネ２８、２９は縮退し、図５（ｃ）のように突起１２は取っ手３０の内部に隠れた状態となる。
【００４２】
突起１２下部の傾斜面３３は、緩やかに丸みを帯びた形状となっているため、略円柱形状スチームアイロン７を抵抗なく収納筒３に挿入できる。挿入の際、突起１１、１２はそれぞれ一旦受溝１３、１４にはまることになるが、傾斜面の形状とバネの縮退の効果により難なく脱出できる。
【００４３】
略円柱形状スチームアイロン７を収納筒３から抜き出す際は、突起１２上部の係止面３２が収納筒３の側面に対し略垂直となっていることにより、突起１２が受溝１４にはまると、その後、係止面３２と受溝１４上面が係合する。これによって収納筒３は、略円柱形状スチームアイロン７の抜き出しに伴って筒安定溝２から抜き出されるため、受け皿１上の圧縮された使用済みペットボトル４２を安全かつ迅速に取り出すことができる。
【００４４】
ここで、収納筒３から略円柱形状スチームアイロン７を抜き出す方法について説明する（図３参照）。
【００４５】
ユーザは、ハンドル２０により、突起１１、１２がそれぞれ受溝１３、１４と係合しない状態にまで略円柱形状スチームアイロン７を押し下げる。突起１１、１２は、図５（ｃ）のような状態になる。この状態で突起１１、１２が受溝１３、１４と略一直線上にない状態（まっすぐに略円柱形状スチームアイロン７を引き上げたときに突起と受溝が係合しない状態）にまでハンドル２０を回転させ、そのまま略円柱形状スチームアイロン７を上方へ引き上げる。かかる操作は、収納筒３を手で掴んで行ってもよいし、収納筒３を何らかの方法で固定させて行ってもよい。
【００４６】
本実施形態に係るペットボトル圧縮機を連続使用する場合は、受け皿１に使用済みペットボトルを設置し、略円柱形状スチームアイロン７と係合した状態の収納筒３を筒安定溝２に挿入すればよい。
【００４７】
バネ２８、２９の弾性力は、略円柱形状スチームアイロン７の収納筒３への挿入の妨げとならず、かつ、係止面３２と受溝１４上面の係合後は簡単に縮まない範囲内とすることが好ましい。係止面３２または受溝１４の上面に滑り止めの加工等を施してもよい。
【００４８】
係合部２５はバネ２８、２９のいずれか一方のみとしてもよい。なお、取っ手３０を細くする場合にはバネ２９が有効である。
【００４９】
本実施形態では、突起等の構成を取っ手３０に設けたが、アイロン部４１の側面に設けてもよい。
【００５０】
本実施形態では、突起と受溝を側面の二カ所に設けているが、少なくとも一カ所に設けていればよく、場所や数を限定するものではない。また、アームとバネを用いずに他の公知な構成としてもよい。
【００５１】
図６は、本実施形態にかかる略円柱形状スチームアイロンのアイロン部の断面図である。これをもとに、スチーム発生のメカニズムを説明する。
【００５２】
ポンプ装置３８は、シリンダ３７内を上下動するピストンを備えた操作手段３９、吸水パイプ３６、吐出部４０により構成されている。
【００５３】
ユーザは予め、水を水注入口１５から水タンク１６に注入しておく。水タンク１６内の水は、吸水パイプ３６からシリンダ３７に吸引される。シリンダ３７に吸引された水は、吐出部４０から気化室１７に供給される。このとき、図示しないヒータによって予め加熱された気化室１７において水が気化されスチームを発生する。
【００５４】
発生したスチームは、スチーム噴射口２０から空きペットボトルに向けて噴射される。本実施形態は、スチーム噴射ボタン１９を備えるため、ユーザはスチーム噴射のタイミングを任意に調整できる。
【００５５】
ヒータ３５は、水タンク１６内の水の温度を高温状態にしておくためのものである。本実施形態では、吸水パイプ３６から吸水する際、ヒータ３５によって予め水タンク１６内の水を高温状態にしているため、気化室１７には高温の水が供給される。したがって、高温のスチームを発生させることができ、使用済みペットボトルをより柔らかくすることができる。さらに、このことは熱板２２の温度低下防止の効果も得られる。
【００５６】
なお、本実施形態では、ヒータ３５は電源投入と同時に水タンク１６内の水温を上昇させる構成となっているが、別途ヒータ３５のＯＮ／ＯＦＦ切替スイッチを設けてもよい。また、水温を一定に保つための制御装置を備えることが好ましい。
【００５７】
本実施形態のペットボトル圧縮機は、かかる構成であるため、ペットボトルより一回り大きいサイズ程度である。省スペースでの作業が行えるため、家庭で存分に活用できる。また、重量面から見ても通常のアイロン程度であるため、持ち運びも容易である。
家庭で簡単に使用できるため、家庭内のゴミ削減と業者等による運搬作業の軽減にも効果がある。
【００５８】
本考案の他の実施形態では、水タンクは、ヒータを備えることを特徴とする。
【００５９】
本考案の他の実施形態では、収納筒は側面に受溝を備え、略円柱形状スチームアイロンは受溝と係合する突起を有する係合部を備えることを特徴とする。
【００６０】
本考案の他の実施形態では、略円柱形状スチームアイロンの下方の外周上に耐熱弾性体のパッキンを備えることを特徴とする。
【００６１】
本考案の他の実施形態では、略円柱形状スチームアイロンは、スチーム噴射ボタンを備えることを特徴とする。
【００６２】
本考案の他の実施形態では、略円柱形状スチームアイロンは、スチームＯＮ／ＯＦＦ切替スイッチを備えることを特徴とする。
【００６３】
本考案の他の実施形態では、略円柱形状スチームアイロンは、熱板の温度を調整する温度調整ダイヤルを備えることを特徴とする。
【００６４】
なお、上記実施形態は、本考案のペットボトル圧縮気における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、特許請求の範囲に記載された考案の内容を限定するものではない。
【符号の説明】
【００６５】
１    受け皿
２    筒安定溝
３    収納筒
４    収納筒下端部
５    設置部
６    飲み口溝
７    略円柱形状スチームアイロン
８    耐熱用ゴムパッキン
１０    支持部
１１    突起部
１３    受溝
１５    水注入口
１６    水タンク
１７    気化室
１８    電圧調整ダイヤル
１９    スチーム噴射ボタン
２０    ハンドル
２１    スチーム噴射口
２２    熱板
２３    使用済みペットボトル
２４    空間
２５    係合部
２６    アーム
２７    軸
２８    バネ
３０    取っ手
３１    軸固定部材
３２    係止面
３３    傾斜面
３４    アーム背面
３５    ヒータ
３６    吸水パイプ
３７    シリンダ
３８    ポンプ装置
３９    操作手段
４０    吐出部
４１    アイロン部
４２    圧縮されたペットボトル
４３    水面
４４    スチームＯＮ／ＯＦＦ切替スイッチ
【図１】
0003168258.tif 000003
【図２】
0003168258.tif 000004
【図３】
0003168258.tif 000005
【図４】
0003168258.tif 000006
【図５】
0003168258.tif 000007
【図６】
0003168258.tif 000008